【手続補正書】
【提出日】平成28年11月24日(2016.11.24)
【手続補正１】
【補正対象書類名】特許請求の範囲
【補正対象項目名】全文
【補正方法】変更
【補正の内容】
【特許請求の範囲】
【請求項１】
フロントエンジンルーム（１）を車両進行方向前側に開口させるフロント開口部（２）と、前記フロントエンジンルームのうち走行用エンジン（３）に対して車両進行方向前側に配置される第１送風機（４０）と、前記フロント開口部の車両進行方向前側から前記フロント開口部を通して流入される空気流を前記第１送風機側に導く導入流路（５０ａ）とを備える自動車に適用されて、前記導入流路から前記第１送風機を通過して前記走行用エンジン側に流れる空気流によって前記走行用エンジンを冷却する冷却装置であって、
前記導入流路内に開口する第１開口部（６１）と前記フロントエンジンルームのうち前記走行用エンジンに対して車両進行方向後側に開口する第２開口部（６２）とを有して、前記第１、第２開口部の間に空気流を流通させる空気流路（６０ａ）を形成するダクト（６０）を備え、
前記ダクトのうち前記第１、第２の開口部の間には、前記空気流路から空気流を前記ダクトの外側に吹き出す吹出部（６０ｃ、６０ｄ）が設けられていることを特徴とする冷却装置。
【請求項２】
フロントエンジンルーム（１）を車両進行方向前側に開口させるフロント開口部（２）と、前記フロントエンジンルームのうち走行用エンジン（３）に対して車両進行方向前側に配置される第１送風機（４０）と、前記フロント開口部の車両進行方向前側から前記フロント開口部を通して流入される空気流を前記第１送風機側に導く導入流路（５０ａ）とを備える自動車に適用されて、前記導入流路から前記第１送風機を通過して前記走行用エンジン側に流れる空気流によって前記走行用エンジンを冷却する冷却装置であって、
前記導入流路内に開口する第１開口部（６１）と前記フロントエンジンルームのうち前記走行用エンジンに対して車両進行方向後側に開口する第２開口部（６２）とを有して、前記第１、第２開口部の間に空気流を流通させる空気流路（６０ａ）を形成するダクト（６０）を備え、
前記走行用エンジンの停止時に、前記ダクトは、前記第１送風機の作動に伴って、前記フロントエンジンルームのうち前記走行用エンジンに対して車両進行方向後側から前記第２開口部を通して吸い込んだ空気流を前記第１開口部から前記導入流路内に吹き出すことを特徴とする冷却装置。
【請求項３】
フロントエンジンルーム（１）を車両進行方向前側に開口させるフロント開口部（２）と、前記フロントエンジンルームのうち走行用エンジン（３）に対して車両進行方向前側に配置される第１送風機（４０）と、前記フロント開口部の車両進行方向前側から前記フロント開口部を通して流入される空気流を前記第１送風機側に導く導入流路（５０ａ）とを備える自動車に適用されて、前記導入流路から前記第１送風機を通過して前記走行用エンジン側に流れる空気流によって前記走行用エンジンを冷却する冷却装置であって、
前記導入流路内に開口する第１開口部（６１）と前記フロントエンジンルームのうち前記走行用エンジンに対して車両進行方向後側に開口する第２開口部（６２）とを有して、前記第１、第２開口部の間に空気流を流通させる空気流路（６０ａ）を形成するダクト（６０）を備え、
前記ダクトのうち前記第１、第２の開口部の間に向けて空気流を吹き出する吹出口（１１２）を備え、
前記第１吹出口から吹き出される空気流によって前記ダクトのうち前記第１、第２の開口部の間の気圧を下げることにより前記第１開口部から前記第２の開口部に向かって流れる空気流を発生させて、この発生した空気流と前記吹出口から吹き出される空気流とが前記第２開口部に向かって流れるようになっていることを特徴とする冷却装置。
【請求項４】
前記吹出口から前記ダクトのうち前記第１、第２の開口部の間に向けて吹き出される空気流を発生させる第２送風機（４０Ａ）を備えることを特徴とする請求項３に記載の冷却装置。
【請求項５】
フロントエンジンルーム（１）を車両進行方向前側に開口させるフロント開口部（２）と、前記フロントエンジンルームのうち走行用エンジン（３）に対して車両進行方向前側に配置される第１送風機（４０）と、前記フロント開口部の車両進行方向前側から前記フロント開口部を通して流入される空気流を前記第１送風機側に導く導入流路（５０ａ）とを備える自動車に適用されて、前記導入流路から前記第１送風機を通過して前記走行用エンジン側に流れる空気流によって前記走行用エンジンを冷却する冷却装置であって、
前記導入流路内に開口する第１開口部（６１）と前記フロントエンジンルームのうち前記走行用エンジンに対して車両進行方向後側に開口する第２開口部（６２）とを有して、前記第１、第２開口部の間に空気流を流通させる空気流路（６０ａ）を形成するダクト（６０）を備え、
吸入口（１１１）から吸い込んだ空気流を前記ダクトのうち前記第１、第２の開口部の間に向けて吹き出する第１、第２の吹出口（１１２、１１２ａ）を備え、
前記第１吹出口から吹き出される空気流によって前記ダクトのうち前記第１、第２の開口部の間の気圧を下げることにより前記第１開口部から前記第２の開口部に向かって流れる空気流を発生させて、この発生した空気流と前記第１吹出口から吹き出される空気流とが前記第２開口部に向かって流れるようになっており、
前記第２吹出口から吹き出される空気流によって前記ダクトのうち前記第１、第２の開口部の間の気圧を下げることにより前記第２開口部から前記第１開口部に向かって流れる空気流を発生させて、この発生した空気流と前記第２吹出口から吹き出される空気流とが前記第１開口部に向かって流れるようになっており、
前記第１、第２の吹出口のうち一方の吹出口および前記吸入口の間を開けて、他方の吹出口および前記吸入口の間を閉じる切替弁（１３０）を備えることを特徴とする冷却装置。
【請求項６】
前記第１、第２の吹出口から前記ダクトのうち前記第１、第２の開口部の間に向けて吹き出される空気流を発生させる第２送風機（４０Ａ）を備えることを特徴とする請求項５に記載の冷却装置。
【請求項７】
フロントエンジンルーム（１）を車両進行方向前側に開口させるフロント開口部（２）と、前記フロントエンジンルームのうち走行用エンジン（３）に対して車両進行方向前側に配置される第１送風機（４０）と、前記フロント開口部の車両進行方向前側から前記フロント開口部を通して流入される空気流を前記第１送風機側に導く導入流路（５０ａ）とを備える自動車に適用されて、前記導入流路から前記第１送風機を通過して前記走行用エンジン側に流れる空気流によって前記走行用エンジンを冷却する冷却装置であって、
前記導入流路内に開口する第１開口部（６１）と前記フロントエンジンルームのうち前記走行用エンジンに対して車両進行方向後側に開口する第２開口部（６２）とを有して、前記第１、第２開口部の間に空気流を流通させる空気流路（６０ａ）を形成するダクト（６０）を備え、
前記ダクトの前記第１開口部側には、前記導入流路から前記第１開口部を介して前記ダクト内に空気流を吸い込んでこの吸い込んだ空気流を前記第２の開口部に向けて吹き出す第２送風機（４０Ａ）を備え、
前記第１送風機に対して前記導入流路内の空気流れ方向の上流側に配置され、前記走行用エンジンを冷却する熱媒体から前記導入流路内の空気流に放熱させる車載熱交換器（３０）を備え、
前記第１開口部は、前記導入流路のうち、前記車載熱交換器に対して前記空気流れ方向の下流側に開口することを特徴とする冷却モジュール。
【請求項８】
フロントエンジンルーム（１）を車両進行方向前側に開口させるフロント開口部（２）と、前記フロントエンジンルームのうち走行用エンジン（３）に対して車両進行方向前側に配置される第１送風機（４０）と、前記フロント開口部の車両進行方向前側から前記フロント開口部を通して流入される空気流を前記第１送風機側に導く導入流路（５０ａ）とを備える自動車に適用されて、前記導入流路から前記第１送風機を通過して前記走行用エンジン側に流れる空気流によって前記走行用エンジンを冷却する冷却装置であって、
前記導入流路内に開口する第１開口部（６１）と前記フロントエンジンルームのうち前記走行用エンジンに対して車両進行方向後側に開口する第２開口部（６２）とを有して、前記第１、第２開口部の間に空気流を流通させる空気流路（６０ａ）を形成するダクト（６０）を備え、
前記ダクトの前記第２開口部側には、前記導入流路から前記第１開口部を介して前記ダクト内に吸い込んだ空気流を前記第２の開口部から吹き出す第２送風機（４０Ａ）を備え、
前記第１送風機に対して前記導入流路内の空気流れ方向の上流側に配置され、前記走行用エンジンを冷却する熱媒体から前記導入流路内の空気流に放熱させる車載熱交換器（３０）と、を備え
前記第１開口部は、前記導入流路のうち、前記車載熱交換器に対して前記空気流れ方向の下流側に開口することを特徴とする冷却モジュール。
【請求項９】
前記第１開口部は、前記通気通路内に車両進行方向前側に向けて開口されていることを特徴とする請求項７または８に記載の冷却モジュール。
【請求項１０】
前記ダクトのうち前記第１、第２の開口部の間には、前記空気流路から空気流を前記ダクトの外側に吹き出す吹出部（６０ｃ、６０ｄ）が設けられていることを特徴とする請求項７ないし９のいずれか１つに記載の冷却モジュール。
【請求項１１】
前記走行用エンジンの停止時に、前記ダクトは、前記第１送風機の作動に伴って、前記フロントエンジンルームのうち前記走行用エンジンに対して車両進行方向後側から前記第２開口部を通して吸い込んだ空気流を前記第１開口部から前記導入流路内に吹き出すことを特徴とする請求項７ないし１０のいずれか１つに記載の冷却モジュール。
【請求項１２】
前記ダクトの前記第１開口部側には、前記導入流路から前記第１開口部を介して前記ダクト内に空気流を吸い込んでこの吸い込んだ空気流を前記第２の開口部に向けて吹き出す第２送風機（４０Ａ）を備えることを特徴とする請求項１ないし６のいずれか１つに記載の冷却装置。
【請求項１３】
前記ダクトの前記第２開口部側には、前記導入流路から前記第１開口部を介して前記ダクト内に吸い込んだ空気流を前記第２の開口部から吹き出す第２送風機（４０Ａ）を備えることを特徴とする請求項１ないし６のいずれか１つに記載の冷却装置。
【請求項１４】
フロントエンジンルーム（１）を車両進行方向前側に開口させるフロント開口部（２）と、前記フロントエンジンルームのうち走行用エンジン（３）に対して車両進行方向前側に配置される第１送風機（４０）と、前記フロント開口部の車両進行方向前側から前記フロント開口部を通して流入される空気流を前記第１送風機側に導く導入流路（５０ａ）とを備える自動車に適用されて、前記導入流路から前記第１送風機を通過して前記走行用エンジン側に流れる空気流によって前記走行用エンジンを冷却する冷却装置であって、
前記導入流路内に開口する第１開口部（６１）と前記フロントエンジンルームのうち前記走行用エンジンに対して車両進行方向後側に開口する第２開口部（６２）とを有して、前記第１、第２開口部の間に空気流を流通させる空気流路（６０ａ）を形成するダクト（６０）を備え、
前記フロントエンジンルームのうち前記走行用エンジンに対して車両進行方向後側の温度の代替えに前記ダクト内の温度を検出するセンサ（１００）を備えることを特徴とする冷却装置。
【請求項１５】
フロントエンジンルーム（１）を車両進行方向前側に開口させるフロント開口部（２）と、前記フロントエンジンルームのうち走行用エンジン（３）に対して車両進行方向前側に配置される第１送風機（４０）と、前記フロント開口部の車両進行方向前側から前記フロント開口部を通して流入される空気流を前記第１送風機側に導く導入流路（５０ａ）とを備える自動車に適用されて、前記導入流路から前記第１送風機を通過して前記走行用エンジン側に流れる空気流によって前記走行用エンジンを冷却する冷却装置であって、
前記導入流路内に開口する第１開口部（６１）と前記フロントエンジンルームのうち前記走行用エンジンに対して車両進行方向後側に開口する第２開口部（６２）とを有して、前記第１、第２開口部の間に空気流を流通させる空気流路（６０ａ）を形成するダクト（６０）を備え、
前記フロントエンジンルームのうち前記走行用エンジンに対して車両進行方向後側の温度の代替えに前記ダクト内の温度を検出するセンサ（１００）を備えることを特徴とする冷却装置。
【請求項１６】
フロントエンジンルーム（１）を車両進行方向前側に開口させるフロント開口部（２）と、前記フロントエンジンルームのうち走行用エンジン（３）に対して車両進行方向前側に配置される第１送風機（４０）と、前記フロント開口部の車両進行方向前側から前記フロント開口部を通して流入される空気流を前記第１送風機側に導く導入流路（５０ａ）とを備える自動車に適用されて、前記導入流路から前記第１送風機を通過して前記走行用エンジン側に流れる空気流によって前記走行用エンジンを冷却する冷却装置であって、
前記導入流路内に開口する第１開口部（６１）と前記フロントエンジンルームのうち前記走行用エンジンに対して車両進行方向後側に開口する第２開口部（６２）とを有して、前記第１、第２開口部の間に空気流を流通させる空気流路（６０ａ）を形成するダクト（６０）を備え、
前記ダクトの前記第１開口部側には、前記導入流路から前記第１開口部を介して前記ダクト内に空気流を吸い込んでこの吸い込んだ空気流を前記第２の開口部に向けて吹き出す第２送風機（４０Ａ）を備え、
前記ダクト内を流れる空気流の流速を前記自動車の速度の代替えに検出するセンサ（１０１）を備えることを特徴とする冷却装置。
【請求項１７】
フロントエンジンルーム（１）を車両進行方向前側に開口させるフロント開口部（２）と、前記フロントエンジンルームのうち走行用エンジン（３）に対して車両進行方向前側に配置される第１送風機（４０）と、前記フロント開口部の車両進行方向前側から前記フロント開口部を通して流入される空気流を前記第１送風機側に導く導入流路（５０ａ）とを備える自動車に適用されて、前記導入流路から前記第１送風機を通過して前記走行用エンジン側に流れる空気流によって前記走行用エンジンを冷却する冷却装置であって、
前記導入流路内に開口する第１開口部（６１）と前記フロントエンジンルームのうち前記走行用エンジンに対して車両進行方向後側に開口する第２開口部（６２）とを有して、前記第１、第２開口部の間に空気流を流通させる空気流路（６０ａ）を形成するダクト（６０）を備え、
前記ダクトの前記第１開口部側には、前記導入流路から前記第１開口部を介して前記ダクト内に空気流を吸い込んでこの吸い込んだ空気流を前記第２の開口部に向けて吹き出す第２送風機（４０Ａ）を備え、
前記フロントエンジンルームのうち前記走行用エンジンに対して車両進行方向後側の温度の代替えに前記ダクト内の温度を検出するセンサ（１００）を備えることを特徴とする冷却装置。
【請求項１８】
フロントエンジンルーム（１）を車両進行方向前側に開口させるフロント開口部（２）と、前記フロントエンジンルームのうち走行用エンジン（３）に対して車両進行方向前側に配置される第１送風機（４０）と、前記フロント開口部の車両進行方向前側から前記フロント開口部を通して流入される空気流を前記第１送風機側に導く導入流路（５０ａ）とを備える自動車に適用されて、前記導入流路から前記第１送風機を通過して前記走行用エンジン側に流れる空気流によって前記走行用エンジンを冷却する冷却装置であって、
前記導入流路内に開口する第１開口部（６１）と前記フロントエンジンルームのうち前記走行用エンジンに対して車両進行方向後側に開口する第２開口部（６２）とを有して、前記第１、第２開口部の間に空気流を流通させる空気流路（６０ａ）を形成するダクト（６０）を備え、
前記ダクトの前記第２開口部側には、前記導入流路から前記第１開口部を介して前記ダクト内に吸い込んだ空気流を前記第２の開口部から吹き出す第２送風機（４０Ａ）を備え、
前記ダクト内を流れる空気流の流速を前記自動車の速度の代替えに検出するセンサ（１０１）を備えることを特徴とする冷却装置。
【請求項１９】
フロントエンジンルーム（１）を車両進行方向前側に開口させるフロント開口部（２）と、前記フロントエンジンルームのうち走行用エンジン（３）に対して車両進行方向前側に配置される第１送風機（４０）と、前記フロント開口部の車両進行方向前側から前記フロント開口部を通して流入される空気流を前記第１送風機側に導く導入流路（５０ａ）とを備える自動車に適用されて、前記導入流路から前記第１送風機を通過して前記走行用エンジン側に流れる空気流によって前記走行用エンジンを冷却する冷却装置であって、
前記導入流路内に開口する第１開口部（６１）と前記フロントエンジンルームのうち前記走行用エンジンに対して車両進行方向後側に開口する第２開口部（６２）とを有して、前記第１、第２開口部の間に空気流を流通させる空気流路（６０ａ）を形成するダクト（６０）を備え、
前記ダクトの前記第２開口部側には、前記導入流路から前記第１開口部を介して前記ダクト内に吸い込んだ空気流を前記第２の開口部から吹き出す第２送風機（４０Ａ）を備え、
前記フロントエンジンルームのうち前記走行用エンジンに対して車両進行方向後側の温度の代替えに前記ダクト内の温度を検出するセンサ（１００）を備えることを特徴とする冷却装置。
【請求項２０】
前記第１開口部は、前記通気通路内に車両進行方向前側に向けて開口されていることを特徴とする請求項１ないし６、１２〜１９のいずれか１つに記載の冷却装置。
【請求項２１】
前記ダクトのうち前記第１、第２の開口部の間には、前記空気流路から空気流を前記ダクトの外側に吹き出す吹出部（６０ｃ、６０ｄ）が設けられていることを特徴とする請求項２ないし６、１２〜１９のいずれか１つに記載の冷却装置。
【請求項２２】
前記走行用エンジンの停止時に、前記ダクトは、前記第１送風機の作動に伴って、前記フロントエンジンルームのうち前記走行用エンジンに対して車両進行方向後側から前記第２開口部を通して吸い込んだ空気流を前記第１開口部から前記導入流路内に吹き出すことを特徴とする請求項１、３ないし６、１２〜１９のいずれか１つに記載の冷却装置。
【請求項２３】
前記空気流路を開閉するバルブ（７０）を備えることを特徴とする請求項１ないし６、１２〜１９のいずれか１つに記載の冷却装置。
【請求項２４】
フロントエンジンルームのうち前記走行用エンジンに対して車両進行方向後側にエキゾーストマニホールド（５）が配置される自動車に適用され、
請求項２３に記載の冷却装置（６０、７０）と、
前記第１送風機に対して前記導入流路内の空気流れ方向の上流側に配置され、前記走行用エンジンを冷却する熱媒体から前記導入流路内の空気流に放熱させる車載熱交換器（３０）と、を備え、
前記第１開口部は、前記導入流路のうち、前記車載熱交換器に対して前記空気流れ方向の下流側に開口し、
前記自動車の速度を検出する車速センサ（１０１）の検出値に基づいて前記速度が閾値以上であるか否かを判定する車速判定手段（Ｓ１１０）と、
前記自動車の速度が前記閾値以上であると前記車速判定手段が判定したとき、前記空気流路を開けるように前記バルブを制御する第１制御手段（Ｓ１２０）と、を備えることを特徴とする冷却モジュール。
【請求項２５】
前記自動車の速度が前記閾値未満であると前記車速判定手段が判定したとき、前記空気流路を閉じるように前記バルブを制御する第２制御手段（Ｓ１３０）を備えることを特徴とする請求項２４に記載の冷却モジュール。
【請求項２６】
前記エキゾーストマニホールドの温度を検出する第１温度センサ（１００）の検出値に基づいて、前記エキゾーストマニホールドの温度が所定値以上であるか否かを判定する第１温度判定手段（Ｓ１９０）と、
前記自動車の速度が前記閾値未満であると前記車速判定手段が判定し、かつ前記エキゾーストマニホールドの温度が前記所定値以上であると前記第１温度判定手段が判定した場合には、前記エキゾーストマニホールドの温度が高くなるほど、前記バルブの開度を大きくするように前記バルブを制御する第３制御手段（Ｓ１９１）と、を備えることを特徴とする請求項２５に記載の冷却モジュール。
【請求項２７】
前記走行用エンジンが停止しているか否かを判定する停止判定手段（Ｓ１００）と、
前記熱媒体の温度を検出する第２温度センサ（１０２、１０３）の検出値に基づいて、前記走行用エンジンを冷却すべきか否かを判定するエンジン判定手段（Ｓ１４０）と、
前記エキゾーストマニホールドの温度を検出する第１温度センサ（１００）の検出値に基づいて、前記エキゾーストマニホールドの温度が前記所定値以上であるか否かを判定する第２温度判定手段（Ｓ１５０）と、
前記走行用エンジンが停止していると前記停止判定手段が判定し、かつ前記走行用エンジンを冷却すべきであると前記エンジン判定手段が判定し、さらに前記エキゾーストマニホールドの温度が前記所定値未満であると前記第２温度判定手段が判定したとき、前記空気流路を閉じるように前記バルブを制御する第４制御手段（Ｓ１６１）を備えることを特徴とする請求項２４ないし２６のいずれか１つに記載の冷却モジュール。
【請求項２８】
前記走行用エンジンが停止していると前記停止判定手段が判定し、かつ前記走行用エンジンを冷却する必要がないと前記エンジン判定手段が判定したとき、前記空気流路を開けるように前記バルブを制御する第５制御手段（Ｓ１６２）を備えることを特徴とする請求項２７に記載の冷却モジュール。
【請求項２９】
前記走行用エンジンが停止していると前記停止判定手段が判定し、かつ前記走行用エンジンを冷却すべきであると前記エンジン判定手段が判定し、さらに前記エキゾーストマニホールドの温度が前記所定値以上であると前記第２温度判定手段が判定したとき、前記空気流路を開けるように前記バルブを制御する第６制御手段（Ｓ１６０）を備えることを特徴とする請求項２８に記載の冷却モジュール。
【請求項３０】
前記第６制御手段は、前記第５制御手段に比べて、前記バルブの開度を小さくするように前記バルブを制御することを特徴とする請求項２９に記載の冷却モジュール。
【請求項３１】
前記ダクトの前記第１開口部側には、前記導入流路から前記第１開口部を介して前記ダクト内に空気流を吸い込んでこの吸い込んだ空気流を前記第２の開口部に向けて吹き出す第２送風機（４０Ａ）を備えることを特徴とする請求項１または２に記載の冷却装置。
【請求項３２】
前記ダクトの前記第２開口部側には、前記導入流路から前記第１開口部を介して前記ダクト内に吸い込んだ空気流を前記第２の開口部から吹き出す第２送風機（４０Ａ）を備えることを特徴とする請求項１または２に記載の冷却装置。
【請求項３３】
請求項３ないし６、１２、１３のいずれか１つに記載の冷却装置（６０、７０）と、
前記第１送風機に対して前記導入流路内の空気流れ方向の上流側に配置され、前記走行用エンジンを冷却する熱媒体から前記導入流路内の空気流に放熱させる車載熱交換器（３０）と、を備え
前記第１開口部は、前記導入流路のうち、前記車載熱交換器に対して前記空気流れ方向の下流側に開口することを特徴とする冷却モジュール。
【請求項３４】
前記走行用エンジンが稼働している場合に、前記熱媒体の温度を検出する第２温度センサ（１０２）の検出値に基づいて前記熱媒体の温度が第１温度以上、かつ第２温度未満であると判定したときには、前記第１、第２送風機のうち前記第１送風機を稼働させる第１送風制御手段（Ｓ３２０）と、
前記走行用エンジンが稼働している場合に、前記第２温度センサの検出値に基づいて前記熱媒体の温度が前記第２温度以上であると判定したときには、前記第１、第２送風機をそれぞれ稼働させる第２送風制御手段（Ｓ３４０）と、
を備えることを特徴とする請求項３３に記載の冷却モジュール。
【請求項３５】
前記走行用エンジンが停止している場合に、前記フロントエンジンルーム内の温度を検出する第３温度センサ（１０５）の検出値に基づいて、前記フロントエンジンルーム内の温度が第３温度以上で、かつ第４温度未満であると判定したときに、前記第１、第２送風機のうち前記第２送風機を稼働させる第３送風制御手段（Ｓ３６０）と、
前記走行用エンジンが停止している場合に、前記第３温度センサの検出値に基づいて、前記フロントエンジンルーム内の温度が第４温度以上で、かつ第５温度未満であると判定したときに、前記第１、第２送風機のうち前記第１送風機を稼働させる第４送風制御手段（Ｓ３８０）と、
前記走行用エンジンが停止している場合に、前記第３温度センサの検出値に基づいて、前記フロントエンジンルーム内の温度が前記第５温度以上であると判定したときに、前記第１、第２送風機を稼働させる第５送風制御手段（Ｓ４００）と、
を備えることを特徴とする請求項３３または３４に記載の冷却モジュール。
【請求項３６】
請求項５または６に記載の冷却装置と、
前記走行用エンジンの停止時に、前記第２吹出口および前記吸入口の間を開けるように前記切替弁を制御する第１切替制御手段（Ｓ１２０Ａ）と、
前記自動車の速度を検出する車速センサ（１０１）の検出値に基づいて前記速度が閾値以上であるか否かを判定する車速判定手段（Ｓ１１０）と、
前記自動車の速度が前記閾値以上であると前記車速判定手段が判定したとき、前記第１吹出口および前記吸入口の間を開けるように前記切替弁を制御する第２切替制御手段（Ｓ１６０Ａ）と、
を備えることを特徴とする冷却モジュール。
【請求項３７】
前記ダクトは、前記フロントエンジンルームを閉じるトランクリット（１３０）と前記走行用エンジンを天地方向上側からカバーするエンジンカバー（１２０）とによって構成されている特徴とする請求項１ないし６のいずれか１つに記載の冷却装置。
【請求項３８】
前記ダクトは、前記走行用エンジンを天地方向上側からカバーするエンジンカバー（１２０）を兼ねて構成していることを特徴とする請求項１ないし６、３１、３２のいずれか１つに記載の冷却装置。
【請求項３９】
前記ダクトとしての第１、第２のダクト（６０）を備え、
前記第１、第２のダクトは、前記第１送風機を挟むように配置されていることを特徴とする請求項１ないし６、３１、３２のいずれか１つに記載の冷却装置。
【請求項４０】
前記ダクトは、前記第１開口部（６１）を有する分岐ダクト（６４ａ、６４ｂ）を複数、備えており、
前記複数の分岐ダクトの空気出口側が合流して前記第２開口部（６２）に接続されていることを特徴とする請求項１ないし６、３１、３２のいずれか１つに記載の冷却装置。 
【請求項４１】
前記ダクトは、前記第２開口部（６２）を有する分岐ダクト（６４ｄ、６４ｃ）を複数、備え、
前記複数の分岐ダクトの空気入口側が合流して前記第１開口部（６１）に接続されていることを特徴とする請求項１ないし６、３１、３２のいずれか１つに記載の冷却装置。 
【請求項４２】
前記ダクト内を流れる空気流の流速を前記自動車の速度の代替えに検出するセンサ（１０１）を備えることを特徴とする請求項１ないし６、３１、３２のいずれか１つに記載の冷却装置。。
【請求項４３】
前記フロントエンジンルームのうち前記走行用エンジンに対して車両進行方向後側の温度の代替えに前記ダクト内の温度を検出するセンサ（１００）を備えることを特徴とする請求項１ないし６、３１、３２のいずれか１つに記載の冷却装置。
【請求項４４】
前記車載熱交換器は、前記走行用エンジンを冷却する前記熱媒体としての冷却水から前記導入流路内の空気流に放熱させるラジエータであることを特徴とする請求項２４ないし３０、７ないし１１、３３〜３６のいずれか１つに記載の冷却モジュール。
【手続補正２】
【補正対象書類名】明細書
【補正対象項目名】０００８
【補正方法】変更
【補正の内容】
【０００８】
上記目的を達成するため、請求項１、２、３に記載の発明では、フロントエンジンルーム（１）を車両進行方向前側に開口させるフロント開口部（２）と、フロントエンジンルームのうち走行用エンジン（３）に対して車両進行方向前側に配置される第１送風機（４０）と、フロント開口部の車両進行方向前側からフロント開口部を通して流入される空気流を第１送風機側に導く導入流路（５０ａ）とを備える自動車に適用されて、導入流路から第１送風機を通過して走行用エンジン側に流れる空気流によって走行用エンジンを冷却する冷却装置であって、
導入流路内に開口する第１開口部（６１）とフロントエンジンルームのうち走行用エンジンに対して車両進行方向後側に開口する第２開口部（６２）とを有して、第１、第２開口部の間に空気流を流通させる空気流路（６０ａ）を形成するダクト（６０）を備えることを特徴とする。
【手続補正３】
【補正対象書類名】明細書
【補正対象項目名】０００９
【補正方法】変更
【補正の内容】
【０００９】
請求項１、２、３に記載の発明によれば、自動車の走行に伴ってフロント開口部を通して導入流路内に流入した空気流をダクトを通して走行用エンジンに対して車両進行方向後側に吹き出すことができる。このため、走行用エンジンに対して車両進行方向後側を空気流によって冷却することができる。
【手続補正４】
【補正対象書類名】明細書
【補正対象項目名】００１０
【補正方法】変更
【補正の内容】
【００１０】
なお、エキゾーストマニホールドは、走行用エンジンから排気ガスを排出する排気管において、走行用エンジンに接続される複数の排気流路を１つにまとめる多岐管である。フロントエンジンルームは、自動車のうち乗員室に対して車両進行方向前側に配置されて走行用エンジンが搭載される空間である。熱媒体とは、熱を移動させるための物質である
具体的には、請求項２に記載の発明において、走行用エンジンの停止時に、ダクトは、第１送風機の作動に伴って、フロントエンジンルームのうち走行用エンジンに対して車両進行方向後側から第２開口部を通して吸い込んだ空気流を第１開口部から導入流路内に吹き出すことを特徴とする。
【手続補正５】
【補正対象書類名】明細書
【補正対象項目名】００１１
【補正方法】変更
【補正の内容】
【００１１】
請求項２に記載の発明によれば、走行用エンジンの停止時には、ダクト内を通して走行用エンジンに対して車両進行方向後側から導入流路側に流れる空気流が発生する。このことにより、走行用エンジンに対して車両進行方向後側の熱を導入流路側に移動させることができるので、走行用エンジンに対して車両進行方向後側から熱を導入流路側に吸引することで冷却することができる。
【手続補正６】
【補正対象書類名】明細書
【補正対象項目名】００１２
【補正方法】変更
【補正の内容】
【００１２】
請求項２２に記載の発明では、冷却モジュールにおいて、フロントエンジンルームのうち走行用エンジンに対して車両進行方向後側にエキゾーストマニホールド（５）が配置される自動車に適用され、請求項５に記載の冷却装置（６０、７０）と、第１送風機に対して導入流路内の空気流れ方向の上流側に配置され、走行用エンジンを冷却する熱媒体から導入流路内の空気流に放熱させる車載熱交換器（３０）と、を備え、第１開口部は、導入流路のうち、車載熱交換器に対して空気流れ方向の下流側に開口することを特徴とする。
【手続補正７】
【補正対象書類名】明細書
【補正対象項目名】００１３
【補正方法】変更
【補正の内容】
【００１３】
請求項２２に記載の発明によれば、ダクトは、導入流路のうち車載熱交換器に対して空気流れ方向の下流側から取り入れた空気流をエキゾーストマニホールドに吹き出すことができる。このため、エキゾーストマニホールドを空気流によって冷却することができる。
【手続補正８】
【補正対象書類名】明細書
【補正対象項目名】００１４
【補正方法】変更
【補正の内容】
【００１４】
請求項３に記載の発明において、ダクトのうち第１、第２の開口部の間に向けて空気流を吹き出する第１吹出口（１１２）を備え、第１吹出口から吹き出される空気流によってダクトのうち第１、第２の開口部の間の気圧を下げることにより第１開口部から第２の開口部に向かって流れる空気流を発生させて、この発生した空気流と前記第１吹出口から吹き出される空気流とが第２開口部に向かって流れるようになっていることを特徴とする。
【手続補正９】
【補正対象書類名】明細書
【補正対象項目名】００１５
【補正方法】変更
【補正の内容】
【００１５】
請求項３に記載の発明によれば、ダクトのサイズを大きくすることなく、ダクトの第１開口部から走行用エンジンに対して車両進行方向後側を吹き出す空気流の風量を増やすことができる。これにより、走行用エンジンに対して車両進行方向後側を確実に冷却することができる。